(57)【要約】【課題】従来のスピーカ装置より低コスト化を実現した、スピーカ装置を提供することを目的とする。【解決手段】  スピーカ装置は、マグネット１と、マグネット１を挟むように配置させた巻線コイル２を有する一対の振動板３と、振動板３を保持すると共に、空気出入り口４を有する筐体５を備え、振動板３に配置した各巻線コイルに流す電流を逆にすることを特徴とする。更に、振動板３と平行に、振動板３と離間して配置した反射板を備えてもよい。【選択図】図１
2014138348.tif 000002
【特許請求の範囲】
【請求項１】
マグネットと、
前記マグネットを挟むように配置させた巻線コイルを有する一対の振動板と、
前記振動板を保持すると共に、空気出入り口を有する筐体を備え、
前記振動板に配置した各巻線コイルに流す電流を逆にすることを特徴としたスピーカ装置。
【請求項２】
前記振動板と平行に、振動板と離間して配置した反射板を備えることを特徴とする請求項1記載のスピーカ装置。
【発明の詳細な説明】
【技術分野】
【０００１】
本開示は、音響機器用に用いられるスピーカ装置に関するものである。
【背景技術】
【０００２】
近年、プラズマディスプレイ、液晶ディスプレイの奥行き方向を薄くする、薄型化が進んでいる。また、このような薄型化された表示装置に適用できるスピーカ装置も開発されている（特許文献１）。
【先行技術文献】
【特許文献】
【０００３】
【特許文献１】特開２０１２−２２２７７０号公報
【特許文献２】特開平３-１１６９６１号公報
【特許文献３】特開２００６−３３６６４１号公報
【発明の概要】
【発明が解決しようとする課題】
【０００４】
特許文献１に記載されているスピーカ装置は、複数のスピーカ（例えば８個）が連なった構成となっている。各スピーカでは、１つの振動板に対応して１つのマグネットが設けられている。従って、８個のスピーカからなるスピーカ装置ではマグネットが８個必要となるが、マグネットは比較的高価であるため、これがスピーカ装置のコスト高の一因となっていた。
【０００５】
また、スピーカ装置の単位体積あたりの出力を増大させる観点からは、振動板を複数枚重ねて配置する構成が考えられる。かかる構造は、本発明のようなスピーカ装置とは異なるが、放熱装置において採用されている（特許文献２、３参照）。しかし、特許文献２、３の放熱装置では、振動板の両側を一対のマグネット（２つのマグネット）で挟み込み構造を採用しており、やはり、コストがかかる。また、マグネットを振動板に取り付けると振動板が重くなる。さらに、マグネットを保持するためには振動板を厚くする必要があり、その結果、分割共振を阻害して、高音再生も困難であった。つまり、特許文献２、３に見られるような放熱装置の技術をスピーカ装置に適用することは効果的とはいえない。
【０００６】
そこで、本発明は、従来のスピーカ装置より低コストであり、かつ単位体積あたりの出力が大きい、スピーカ装置を提供することを目的とする。
【課題を解決するための手段】
【０００７】
本開示におけるスピーカ装置は、マグネットと、前記マグネットに対して、対向に配置させた巻線コイルを有する振動板と、前記振動板を保持する空気出入り口を有する筐体を備え、前記振動板に配置した各巻線コイルに流す電流を逆にすることを特徴とした。
【発明の効果】
【０００８】
本開示におけるスピーカ装置は、振動板に取り付く薄いコイルでマグネットを挟み込むため、マグネット１つで済み、且つ機器全体を薄くすることができ、さらには、振動板を通常のスピーカと同様にできるため、高音再生も可能となる。また、振動板が2つあるた
め磁力が低下しても、音量が確保できる。
【図面の簡単な説明】
【０００９】
【図１】実施の形態１におけるスピーカ装置の構成断面図
【図２】実施の形態２におけるスピーカ装置の構成断面図
【図３】実施の形態３におけるスピーカ装置の構成断面図
【図４】実施の形態４におけるスピーカ装置の構成断面図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって特許請求の範囲に記載の主題を限定することを意図するものではない。
【００１２】
（実施の形態１）
以下、図１を用いて、実施の形態１を説明する。
【００１３】
［１−１．構成］
図１は、実施の形態１にかかるスピーカ装置の構成断面図である。
【００１４】
このスピーカ装置は、マグネット1と、前記マグネット1に対して、対向に配置させた巻線コイル2を有する振動板3と、前記振動板3を保持する空気出入り口4を有する筐体5と磁
気を誘導するためマグネットを囲う金属板を備る。
【００１５】
［１−２．動作］
以上のように構成されたスピーカ装置について、その動作を以下説明する。
【００１６】
マグネット1の磁界は上のN極から磁気誘導用の金属板9に磁界を広げられながら、下の
Ｓ極に流れるため、巻線コイル2を横切る磁界が発生している。例えばマグネットN極側にある巻線コイル2の電流が右から左の巻線コイル2に流れていると仮定すると、フレミングの左手の法則により、振動板3は上に向けて動く。同様にS極側の巻線コイル2の電流も上
部同様に右から左へ流すと、振動板3は、下に向けて動く。これにより、N極側とS極側の
両振動板3の前面空間Aの空気を押し出す。
【００１７】
［１−３．効果等］
本実施の形態では、振動板３は、巻線コイル２に流す電流を工夫することにより、特許文献２、３に開示されたような構成とは異なり、１つのマグネットで２枚の振動板を駆動することができる。また、高音まで再生することもできる。
【００１８】
（実施の形態2）
以下、図１を用いて、実施の形態１を説明する。
【００１９】
［２−１．構成］
図２は、実施の形態１にかかるスピーカ装置の構成断面図である。
【００２０】
このスピーカ装置は、マグネット1と、前記マグネット1に対して、対向に配置させた巻線コイル2を有する振動板3と、前記振動板3を保持する空気出入り口4を有する筐体5と、
前記振動板3と平行に、空間を持たせて配置した音孔6と空気出入り口4を有する反射板7とを備る。
【００２１】
［２−２．動作］
以上のように構成されたスピーカ装置について、その動作を以下説明する。
【００２２】
マグネット1の磁界は上のN極から下のS極に走っており、その際巻線コイル2を横切る磁界が発生している。例えばマグネットN極側にある巻線コイル2の電流が右から左の巻線コイル2に流れていると仮定すると、フレミングの左手の法則により、振動板3は上に向けて動く。同様にS極側の巻線コイル2の電流も上部同様に右から左へ流すと、振動板3は、下
に向けて動く。これにより、N極側とS極側の両振動板3の前面空間Aの空気を押し出し、反射板７に導かれ音孔6より同時に排出される。
【００２３】
［２−３．効果等］
本実施の形態でも、振動板３は、巻線コイル２に流す電流を工夫することにより、１つのマグネットで２枚の振動板を駆動することができる。また、高音まで再生することもできる。
【００２４】
（実施の形態3）
図３に示すように、S極側の反射板７の音孔６の向きをN極側とは逆にし、N極側とは別
の信号をS極側で再生しても良い。この場合、特に低音の干渉を気にしない時は、コイル
に流す電極の向きをN側と逆にする必要もない。
【００２５】
（実施の形態4）
実施の形態1では、高音を導くため振動板３の前側に反射板７を配置して音を反射させ
たが、低音だけを再生するのであれば反射板7は不要となり、図４に示すようにN極側とS
極側の筐体５を箱８に接続することで、密閉することができ、ウーハーボックスも構成できる。
【００２６】
以上のように、本出願において開示する技術の例示として、各実施の形態を説明した。しかしながら、本開示における技術は、これに限定されず、適宜、変更、置き換え、付加、省略などを行った実施の形態にも適用可能である。各実施の形態の構成要素を君合わせて、新たな実施の形態とすることも可能である。
【００２７】
また、当然のことではあるが、本開示のスピーカ装置は、どのような使用状態においても、はじめから、コイルの巻き方向をN極側とS極側を逆に配置して設置すれば、信号の極性を分けて流す必要がないし、振動板の形状も特に規定しない。あくまで原理説明のために分けて記載した。
【００２８】
また、上述の実施の形態は、本開示における技術を例示するためのものであるから、特許請求の範囲またはその均等の範囲において種々の変更、置き換え、付加、省略などを行うことができる。
【産業上の利用可能性】
【００２９】
本開示は、電子機器に搭載するスピーカ装置に適用可能である。具体的には、薄型テレビや、スピーカ付コンピューター表示機、カメラ機能付き携帯電話機、スマートフォンなどに、本開示は適用可能である。また音響システム内臓の家具やインテリアにも応用可能である。
【符号の説明】
【００３０】
１  マグネット
２  巻線コイル
３  振動板
４  空気出入り口
５  筐体
６  音孔
７  反射板
８  箱
９  金属板
A  前面空間
【図１】
2014138348.tif 000003
【図２】
2014138348.tif 000004
【図３】
2014138348.tif 000005
【図４】
2014138348.tif 000006